(57)【特許請求の範囲】
【請求項１】
第１給電母線及び第２給電母線より供給される電力を変換する電力変換装置であって、
前記第１給電母線に接続されるインダクタンス素子と、
前記第１給電母線と第２給電母線との間に供給される電力をスイッチングにより変換するスイッチング素子と、
を有し、
前記インダクタンス素子、及び前記スイッチング素子を収容する筐体と、
前記インダクタンス素子と、前記筐体との間に設けられた第１インピーダンス素子と、
前記第２給電母線と前記筐体との間に設けられた第２インピーダンス素子と、
を有することを特徴とする電力変換装置。
【請求項２】
第１給電母線及び第２給電母線より供給される電力を変換する電力変換装置であって、
前記第１給電母線に接続されるインダクタンス素子と、
前記第１給電母線と第２給電母線との間に供給される電力をスイッチングにより変換するスイッチング素子と、
前記インダクタンス素子、及び前記スイッチング素子を収容する筐体と、
前記インダクタンス素子と、前記筐体との間に設けられた第１インピーダンス素子と、
を有し、
前記第１インピーダンス素子は、
前記インダクタンス素子と前記筐体との間の第１浮遊容量を含む、前記インダクタンス素子と前記筐体との間の静電容量と、前記第２給電母線と前記筐体との間の第２浮遊容量と、が一致するように前記インダクタンス素子と前記筐体との間に設けた第１容量素子であること
を特徴とする電力変換装置。
【請求項３】
請求項１に記載の電力変換装置において、
前記第１インピーダンス素子は第１容量素子であり、前記第２インピーダンス素子は第２容量素子であり、
前記インダクタンス素子と前記筐体との間の第１浮遊容量と、前記第１容量素子の静電容量と、の合計と、
前記第２給電母線と前記筐体との間の第２浮遊容量と、前記第２容量素子の静電容量と、の合計と、
が一致するように、前記第１容量素子及び第２容量素子の静電容量を設定すること
を特徴とする電力変換装置。
【請求項４】
請求項２に記載の電力変換装置において、
前記第１インピーダンス素子は、前記インダクタンス素子と前記筐体との間に設けた第１容量素子であり、
前記インダクタンス素子と前記筐体との間の静電容量と、前記第２給電母線と前記筐体との間の第２浮遊容量と、が一致するように、前記第２給電母線が前記筐体と対向する面積を設定すること
を特徴とする電力変換装置。
【請求項５】
請求項２に記載の電力変換装置において、
前記第１インピーダンス素子は、前記インダクタンス素子と前記筐体との間に設けた第１容量素子であり、
前記インダクタンス素子と前記筐体との間の静電容量と、前記第２給電母線と前記筐体との間の第２浮遊容量と、が一致するように、前記第２給電母線と前記筐体との間の距離を設定すること
を特徴とする電力変換装置。
【請求項６】
請求項１に記載の電力変換装置において、
前記第２インピーダンス素子は、前記第２給電母線と前記筐体の間に設けた第２誘電体であり、
前記インダクタンス素子と前記筐体との間の静電容量が、前記第２給電母線と前記筐体との間の静電容量と一致するように、前記第２誘電体の誘電率を設定すること
を特徴とする電力変換装置。
【請求項７】
請求項１に記載の電力変換装置において、
前記第１インピーダンス素子は、第１誘電体であり、前記第２インピーダンス素子は、第２誘電体であり、
前記インダクタンス素子と前記筐体との間の静電容量が、前記第２給電母線と前記筐体との間の静電容量と一致するように、前記第１誘電体及び第２誘電体の誘電率を設定すること
を特徴とする電力変換装置。
【請求項８】
第１給電母線及び第２給電母線より供給される電力を変換する電力変換装置であって、
前記第１給電母線に接続されるインダクタンス素子と、
前記第１給電母線と第２給電母線との間に供給される電力をスイッチングにより変換するスイッチング素子と、
前記インダクタンス素子、及び前記スイッチング素子を収容する筐体と、
前記インダクタンス素子と、前記筐体との間に設けられた第１インピーダンス素子と、
を有し、
前記第１インピーダンス素子は、第１容量素子及び第１抵抗素子で構成されること
を特徴とする電力変換装置。
【請求項９】
請求項８に記載の電力変換装置において、
前記インダクタンス素子と前記第１インピーダンス素子による共振周波数を、第１共振周波数としたとき、
前記第１抵抗素子の抵抗値は、
前記第１共振周波数での前記第２給電母線と前記筐体との間のインピーダンス以下で、且つ、前記第１抵抗素子を含まない場合の前記インダクタンス素子と前記筐体との間のインピーダンスよりも大きいこと
を特徴とする電力変換装置。
【請求項１０】
請求項８に記載の電力変換装置において、
前記インダクタンス素子と前記第１インピーダンス素子による共振周波数を、第１共振周波数としたとき、
前記第１抵抗素子の抵抗値は、
前記第１共振周波数での前記第２給電母線と前記筐体との間のインピーダンスと一致すること
を特徴とする電力変換装置。
【請求項１１】
請求項１に記載の電力変換装置において、
前記第２インピーダンス素子は、第２容量素子、及び第２抵抗素子で構成されること
を特徴とする電力変換装置。
【請求項１２】
請求項１１に記載の電力変換装置において、
前記第２給電母線と、前記第２容量素子の静電容量とによる共振周波数を第２共振周波数としたとき、
前記第２抵抗素子の抵抗値は、
前記第２共振周波数での、前記第２抵抗素子を含まない場合の、前記第２給電母線と前記筐体との間のインピーダンスよりも大きく、前記インダクタンス素子と前記筐体との間のインピーダンスよりも小さいこと
を特徴とする電力変換装置。
【請求項１３】
請求項１に記載の電力変換装置において、第１インピーダンス素子は第１容量素子と第１抵抗素子で構成され、前記第２インピーダンス素子は第２容量素子と第２抵抗素子で構成され、
前記インダクタンス素子と前記第１インピーダンス素子による共振周波数を、第１共振周波数とし、前記第２給電母線と前記第２インピーダンス素子とによる共振周波数を第２共振周波数としたとき、
前記第１抵抗素子、及び、前記第２抵抗素子の各抵抗値は、
前記第１共振周波数における前記第２給電母線と前記筐体との間のインピーダンスと、前記第２共振周波数における前記インダクタンス素子と前記筐体との間のインピーダンスと、の平均値であること
を特徴とする電力変換装置。
【請求項１４】
請求項１に記載の電力変換装置において、前記第１インピーダンス素子は、第１容量素子と第１抵抗素子を有し、前記第２インピーダンス素子は、第２容量素子と第２抵抗素子を有し、
前記インダクタンス素子と前記第１インピーダンス素子による共振周波数を、第１共振周波数とし、前記第２給電母線と前記第２インピーダンス素子とによる共振周波数を第２共振周波数としたとき、
前記第１抵抗素子及び前記第２抵抗素子の抵抗値は、
前記第１抵抗素子を有しないときの、前記第２共振周波数における前記インダクタンス素子と前記筐体との間のインピーダンスと、前記第２抵抗素子を有しないときの、前記第１共振周波数における前記第２給電母線と前記筐体との間のインピーダンスと、の間の抵抗値であること
を特徴とする電力変換装置。
【請求項１５】
請求項１に記載の電力変換装置において、前記第１インピーダンス素子は、第１容量素子と第１抵抗素子を有し、前記第２インピーダンス素子は、第２容量素子と第２抵抗素子を有し、
前記インダクタンス素子と前記第１インピーダンス素子による共振周波数を、第１共振周波数とし、前記第２給電母線と前記第２インピーダンス素子とによる共振周波数を第２共振周波数とし、更に、前記第１共振周波数と第２共振周波数の間となる中間周波数を設定し、
前記第１抵抗素子及び前記第２抵抗素子の抵抗値は、前記中間周波数での、
前記第１インピーダンス素子を設けないときの前記インダクタンス素子と筐体との間のインピーダンスと、前記第２インピーダンス素子を設けないときの前記第２給電母線と筐体との間のインピーダンスと、の間の抵抗値であること
を特徴とする電力変換装置。
【発明の詳細な説明】
【技術分野】
【０００１】
本発明は、交流電源或いは直流電源より出力される電力を所望の直流電力に変換する電力変換装置に関する。
【背景技術】
【０００２】
従来より、電気自動車やハイブリッド車両等では、高電圧のバッテリから低電圧のバッテリへ充電するために、電力変換装置が用いられている。電力変換装置は、内部にディスクリートパッケージのパワー半導体素子や、モジュール化されたパワー半導体素子からなるスイッチ（以下、「パワーモジュール」という）が搭載されている。パワーモジュールは、制御回路より与えられる信号により、スイッチのオン、オフを切り替えて電圧を変換する。【０００３】
パワーモジュールは、スイッチング素子のオン、オフを切り替える際に、スイッチングノイズが発生し、このスイッチングノイズは電源側、及び負荷側へ伝搬する。従って、例えば、車両に搭載した電力変換装置に、一般家庭に設けられている商用電源から電力を供給する場合には、家庭側の電気系統にノイズが伝搬することがある。【０００４】
特許文献１には、ノイズを除去するために、パワーモジュールに設けられるリアクトルのフレームを、インピーダンス素子を介して接地することによりノイズを抑制することが開示されている。
【先行技術文献】
【特許文献】
【０００５】
【特許文献１】特開２００６−２３８５８２号公報
【発明の概要】
【０００６】
しかしながら、特許文献１に開示された従来例は、インダクタンス素子とフレームとの間のインピーダンスを調整するものではなく、ノイズを効果的に低減するものではなかった。
【０００７】
本発明は、このような従来の課題を解決するためになされたものであり、その目的とするところは、スイッチング素子のオン、オフを切り替える際に発生するノイズを低減することが可能な電力変換装置を提供することにある。
【０００８】
本発明の一態様は、第１給電母線に接続されるインダクタンス素子と、第１給電母線と第２給電母線の間に供給される電力をスイッチングにより変換するスイッチング素子と、インダクタンス素子、及びスイッチング素子を収容する筐体と、インダクタンス素子と筐体との間に設けられた第１インピーダンス素子を有する。
【発明の効果】
【０００９】
本発明の一態様によれば、スイッチング素子のオン、オフを切り替える際に発生するノイズを低減することができる。
【図面の簡単な説明】
【００１０】
【図１】図１は、本発明の実施形態に係る電力変換装置、及びその周辺機器の構成を示す回路図である。
【図２】図２は、第１実施形態に係る電力変換装置の、インダクタンス素子及び第２給電母線の断面を示す説明図である。
【図３】図３は、電力変換装置にて発生するノイズレベルを示すグラフである。
【図４】図４は、第１実施形態の変形例に係る電力変換装置の、インダクタンス素子及び第２給電母線の断面を示す説明図である。
【図５】図５は、第２実施形態に係る電力変換装置の、インダクタンス素子及び第２給電母線の断面を示す説明図である。
【図６】図６は、第２実施形態の変形例に係る電力変換装置の、インダクタンス素子及び第２給電母線の断面を示す説明図である。
【図７】図７は、第３実施形態に係る電力変換装置の、インダクタンス素子及び第２給電母線の断面を示す説明図である。
【図８】図８は、第４実施形態に係る電力変換装置の、インダクタンス素子及び第２給電母線の断面を示す説明図である。
【図９】図９は、第５実施形態に係る電力変換装置の、インダクタンス素子及び第２給電母線の断面を示す説明図である。
【図１０】図１０は、第５実施形態に係る電力変換装置の、周波数とインピーダンスとの関係を示すグラフである。
【図１１】図１１は、第６実施形態に係る電力変換装置の、インダクタンス素子及び第２給電母線の断面を示す説明図である。
【図１２】図１２は、第７実施形態に係る電力変換装置の、インダクタンス素子及び第２給電母線の断面を示す説明図である。
【図１３】図１３は、第７実施形態の変形例に係る電力変換装置の、インダクタンス素子及び第２給電母線の断面を示す説明図である。
【図１４】図１４は、第８実施形態に係る電力変換装置の、インダクタンス素子及び第２給電母線の断面を示す説明図である。
【図１５】図１５は、第９実施形態に係る電力変換装置の、インダクタンス素子及び第２給電母線の断面を示す説明図である。
【図１６】図１６は、第１０実施形態に係る電力変換装置の、インダクタンス素子及び第２給電母線の断面を示す説明図である。
【図１７】図１７は、第１０実施形態に係る電力変換装置の、周波数とインピーダンスとの関係を示すグラフである。
【図１８】図１８は、第１０実施形態に係る電力変換装置の、インピーダンスとノイズの関係を示すグラフである。
【図１９】図１９は、第１０実施形態の第１変形例に係る電力変換装置の、インダクタンス素子及び第２給電母線の断面を示す説明図である。
【図２０】図２０は、第１０実施形態の第２変形例に係る電力変換装置の、インダクタンス素子及び第２給電母線の断面を示す説明図である。
【図２１】図２１は、第１１実施形態に係る電力変換装置の、インダクタンス素子及び第２給電母線の断面を示す説明図である。
【図２２】図２２は、第１１実施形態に係る電力変換装置の、周波数とインピーダンスの関係を示すグラフである。
【図２３】図２３は、第１１実施形態の第１変形例に係る電力変換装置の、周波数とインピーダンスの関係を示すグラフである。
【図２４】図２４は、第１１実施形態の第２変形例に係る電力変換装置の、周波数とインピーダンスの関係を示すグラフである。
【図２５】図２５は、第１１実施形態の第３変形例に係る電力変換装置の、周波数とインピーダンスの関係を示すグラフである。
【図２６】図２６は、図２５に示した”Ａ”部拡大図である。
【図２７】図２７は、第１１実施形態に係る電力変換装置の、各抵抗素子の抵抗値とノイズレベルとの関係を示すグラフである。
【図２８】図２８は、電力変換装置の他の構成を示す回路図である。
【図２９】図２９は、電力変換装置の更に他の構成を示す回路図である。
【発明を実施するための形態】
【００１１】
以下、本発明の実施形態を図面を参照して説明する。
［第１実施形態の説明］
図１は、本発明の第１実施形態に係る電力変換装置、及びその周辺機器の構成を示す回路図である。図１に示すように、本実施形態に係る電力変換装置１０１は、全体が鉄やアルミニウム等の金属製の筐体１で覆われている。また、電力変換装置１０１の入力側は、直流を出力する電源９１に第１給電母線９３、及び第２給電母線９４を介して接続され、出力側は出力線９５、９６を介して負荷９２に接続されている。従って、電源９１より供給される電圧を所望の電圧に変換して負荷９２に供給することができる。電源９１は、例えば一般家庭に設けられる商用電源やバッテリであり、負荷９２は、例えば電気自動車やハイブリッド車両に搭載されるバッテリである。
【００１２】
電源９１のプラス端子は、第１給電母線９３に接続され、マイナス端子は、第２給電母線９４に接続されている。
【００１３】
電力変換装置１０１の筐体１内には、第１給電母線９３に接続されたインダクタンス素子Ｌ１が設けられている。更に、第１給電母線９３と第２給電母線９４との間には、パワーモジュール３が設けられている。
【００１４】
パワーモジュール３は、ＩＧＢＴ（絶縁ゲートバイポーラトランジスタ）、或いはＭＯＳＦＥＴ等のスイッチング素子Ｑ１と、ダイオードＤ１を備えている。インダクタンス素子Ｌ１は、例えば、トロイダル巻線型のコイル、或いは平板型のコイルである。
【００１５】
パワーモジュール３の前段及び後段には、それぞれ平滑コンデンサＣ１００、Ｃ２００が設けられている。また、スイッチング素子Ｑ１の制御入力（例えば、ＩＧＢＴのベース）は、該スイッチング素子Ｑ１のオン、オフを制御する制御回路２に接続されている。
【００１６】
そして、制御回路２の制御下でスイッチング素子Ｑ１のオン、オフを制御することにより、電源９１より供給される電圧を、異なる電圧に変換して負荷９２に供給する。
【００１７】
図２は、図１に示した「Ａ−Ａ’」断面を示している。図２に示すように、インダクタンス素子Ｌ１と筐体１との間には、第１インピーダンス素子１１が設けられている。第１インピーダンス素子１１は、例えば、容量素子、或いは容量素子と抵抗素子との直列接続回路である。
【００１８】
そして、第１実施形態に係る電力変換装置１０１では、第１インピーダンス素子１１を設けることにより、インダクタンス素子Ｌ１と筐体１との間のインピーダンスを、第２給電母線９４と筐体１との間に存在する第２浮遊容量に近づける。そして、図１に示した負荷９２に電力を供給して駆動する際に、インダクタンス素子Ｌ１から筐体１へ伝搬するノイズを抑制する。なお、「近づける」とは、完全に一致させること含む概念である。
【００１９】
図３は、スイッチング素子Ｑ１をスイッチングさせたときの、筐体１に伝搬するノイズを示すグラフである。図３において、点線で示す曲線Ｓ１は、第１インピーダンス素子１１を設けない場合のノイズの変化を示し、実線で示す曲線Ｓ２は、第１インピーダンス素子１１を設けた場合のノイズの変化を示している。図３のグラフから理解されるように、第１インピーダンス素子１１を設けることにより、インダクタンス素子Ｌ１から筐体１に伝搬するノイズが低減する。
【００２０】
このようにして、第１実施形態に係る電力変換装置では、第１インピーダンス素子１１を設けることにより、インダクタンス素子Ｌ１と筐体１との間のインピーダンスを高くし、第２給電母線９４と筐体１との間に存在する第２浮遊容量に近づけることができるので、インダクタンス素子Ｌ１から筐体１へ伝搬するノイズを低減することができる。
【００２１】
［第１実施形態の変形例の説明］
次に、第１実施形態の変形例について説明する。変形例に係る電力変換装置では、プレーナ型のインダクタンス素子Ｌ１ａを使用している点、及び第２給電母線９４が平板形状の電線或いは基板パターンに構成されている点が相違する。図４は、インダクタンス素子Ｌ１ａ、及び第２給電母線９４の断面図であり、図４に示すように、インダクタンス素子Ｌ１ａ、及び第２給電母線９４は、共に平板形状を成している。また、インダクタンス素子Ｌ１ａと筐体１との間には、第１インピーダンス素子１１が設けられている。なお、プレーナ型のインダクタンス素子Ｌ１ａを基板パターンで構成してもよい。
【００２２】
そして、このような構成においても、前述した第１実施形態と同様に、インダクタンス素子Ｌ１ａから筐体１に伝搬するノイズを低減することが可能となる。なお、以下に示す各実施形態では、図２に示したように、インダクタンス素子Ｌ１としてトロイダルコイルを用いる例について示すが、図４に示したプレーナ型のインダクタンス素子Ｌ１ａとしてもよい。
【００２３】
［第２実施形態の説明］
次に、本発明の第２実施形態について説明する。図５は、第２実施形態に係る電力変換装置の、インダクタンス素子Ｌ１、及び第２給電母線９４の断面を示す説明図である。図５に示すように、インダクタンス素子Ｌ１は、例えば、鉄、アルミニウム等の金属製のフレーム４の内部に収容されている。フレーム４は、筐体１に固定され該筐体１と導通している。インダクタンス素子Ｌ１とフレーム４の間には、第１インピーダンス素子１１が設けられている。即ち、前述した第１実施形態と対比して、インダクタンス素子Ｌ１をフレーム４内に収容した点で相違している。フレーム４は筐体１内に設けられ、且つ、インダクタンス素子Ｌ１とフレーム４の間には、第１インピーダンス素子１１が設けられるので、第１インピーダンス素子１１は、インダクタンス素子Ｌ１と筐体１との間に設けられている。
【００２４】
このように、第２実施形態に係る電力変換装置では、フレーム４の内部にインダクタンス素子Ｌ１を収容することにより、インダクタンス素子Ｌ１より直接放射されるノイズを抑制することができる。また、第１インピーダンス素子１１を設けることにより、インダクタンス素子Ｌ１とフレーム４との間のインピーダンスを高くすることができ、ひいてはインダクタンス素子Ｌ１と筐体１との間のインピーダンスを、第２給電母線９４と筐体１との間の第２浮遊容量に近づけることができる。その結果、インダクタンス素子Ｌ１から筐体１へ伝搬するノイズを低減することができる。
【００２５】
［第２実施形態の変形例の説明］
次に、第２実施形態の変形例について説明する。図６は、第２実施形態の変形例に係る電力変換装置の、インダクタンス素子Ｌ１、及び第２給電母線９４の断面を示す説明図である。
【００２６】
図６に示すように、変形例では、インダクタンス素子Ｌ１を収容するフレーム４の底面と筐体１がワイヤ５により接続されている点で、前述した第２実施形態と相違する。即ち、ワイヤ５により筐体１とフレーム４が導通している。なお、筐体１とフレーム４は、図示省略の絶縁体等により固定されている。そして、このような構成としても、前述した第２実施形態と同様の効果を達成することができる。
【００２７】
［第３実施形態の説明］
次に、本発明の第３実施形態について説明する。図７は、第３実施形態に係る電力変換装置の、インダクタンス素子Ｌ１、及び第２給電母線９４の断面を示す説明図である。図７に示すように、第３実施形態に係る電力変換装置は、インダクタンス素子Ｌ１がフレーム４内に収容され、更に、インダクタンス素子Ｌ１を覆うように、第１インピーダンス素子１１が設けられている。第１インピーダンス素子１１は、例えば誘電体である。
【００２８】
フレーム４は筐体１内に設けられ、且つ、インダクタンス素子Ｌ１とフレーム４の間には、第１インピーダンス素子１１が設けられる。また、フレーム４と筐体１は、浮遊容量により結合しているので、第１インピーダンス素子１１は、インダクタンス素子Ｌ１と筐体１との間に設けられている。
【００２９】
また、筐体１とフレーム４は、図示省略の絶縁体等により固定されている。フレーム４と筐体１との間には浮遊容量が存在するので、インダクタンス素子Ｌ１と筐体１との間には、所定の静電容量が存在することになる。
【００３０】
このように、第３実施形態に係る電力変換装置では、上記した所定の静電容量を第２給電母線９４と筐体１との間の第２浮遊容量に近づけることにより、インダクタンス素子Ｌ１から筐体１へ伝搬するノイズを低減することができる。
【００３１】
［第４実施形態の説明］
次に、本発明の第４実施形態について説明する。図８は、第４実施形態に係る電力変換装置の、インダクタンス素子Ｌ１、及び第２給電母線９４の断面を示す説明図である。図８に示すように、第４実施形態に係る電力変換装置は、インダクタンス素子Ｌ１と筐体１との間に第１インピーダンス素子１１が設けられている。更に、第２給電母線９４と筐体１との間に、第２インピーダンス素子１２が設けられている。
【００３２】
第１インピーダンス素子１１、及び第２インピーダンス素子１２を設けることにより、インダクタンス素子Ｌ１と筐体１との間のインピーダンスと、第２給電母線９４と筐体１との間のインピーダンスを近づけることができる。従って、インダクタンス素子Ｌ１から筐体１に伝搬するノイズ、及び第２給電母線９４から筐体１に伝搬するノイズを低減することができる。
【００３３】
また、第１インピーダンス素子１１、第２インピーダンス素子１２を設ける構成であるので、各インピーダンスの微調整が可能となり、インダクタンス素子Ｌ１と筐体１との間のインピーダンスと、第２給電母線９４と筐体１との間のインピーダンスを一致させ易くすることができる。従って、簡単な作業でインダクタンス素子Ｌ１から筐体１へ伝搬するノイズ、及び第２給電母線９４から筐体１に伝搬するノイズを低減することができる。
【００３４】
［第５実施形態の説明］
次に、本発明の第５実施形態について説明する。図９は、第５実施形態に係る電力変換装置の、インダクタンス素子Ｌ１、及び第２給電母線９４の断面を示す説明図である。図９に示すように、第５実施形態では、インダクタンス素子Ｌ１と筐体１との間に、第１容量素子Ｃ１１を設けている。更に、第２給電母線９４と筐体１との間に、第２容量素子Ｃ１２を設けている。即ち、第５実施形態では、図８に示した第１インピーダンス素子１１を第１容量素子Ｃ１１とし、第２インピーダンス素子１２を第２容量素子Ｃ１２としている。また、図９に示すＣ０１はインダクタンス素子Ｌ１と筐体１との間の第１浮遊容量であり、Ｃ０２は第２給電母線９４と筐体１との間の第２浮遊容量である。
【００３５】
第５実施形態では、第１容量素子Ｃ１１及び第２容量素子Ｃ１２の静電容量を適宜設定することにより、第１浮遊容量Ｃ０１と第１容量素子Ｃ１１との合計の静電容量と、第２浮遊容量Ｃ０２と第２容量素子Ｃ１２との合計の静電容量を近づける。その結果、インダクタンス素子Ｌ１と筐体１との間に加わる電圧と、第２給電母線９４と筐体１との間に加わる電圧を一致させることができ、ひいてはインダクタンス素子Ｌ１及び第２給電母線９４から筐体１へ伝搬するノイズを低減することができる。
【００３６】
図１０は、周波数とインピーダンスとの関係を示すグラフである。図１０において、実線で示す曲線Ｓ３は、周波数の変化に対するインダクタンス素子Ｌ１と筐体１との間のインピーダンスの変化を示している。点線で示す曲線Ｓ４は、周波数変化に対する第２給電母線９４と筐体１との間のインピーダンスの変化を示している。曲線Ｓ３、Ｓ４から理解されるように、曲線Ｓ３、Ｓ４に示す各インピーダンスは、周波数に関わらずほぼ一致している。即ち、第５実施形態に係る電力変換装置では、スイッチング素子Ｑ１の周波数が変動した場合でも、筐体へ伝搬するノイズを低減することができる。
【００３７】
［第６実施形態の説明］
次に、本発明の第６実施形態について説明する。図１１は、第６実施形態に係る電力変換装置の、インダクタンス素子Ｌ１、及び第２給電母線９４の断面を示す説明図である。図１１に示すように、第６実施形態では、図９に示した第５実施形態と同様に、インダクタンス素子Ｌ１と筐体１との間に、第１容量素子Ｃ１１を設けている。また、第２給電母線９４と筐体１との間に、第２容量素子Ｃ１２を設けている。更に、インダクタンス素子Ｌ１と筐体１との間の第１浮遊容量Ｃ０１、第２給電母線９４と筐体１との間の第２浮遊容量Ｃ０２が存在している。第２給電母線９４が平板形状の電線で構成されている点で、第５実施形態と相違している。
【００３８】
第６実施形態に係る電力変換装置では、前述した第５実施形態と同様に、第１容量素子Ｃ１１及び第２容量素子Ｃ１２の静電容量を適宜設定することにより、第１浮遊容量Ｃ０１と第１容量素子Ｃ１１の合計の静電容量と、第２浮遊容量Ｃ０２と第２容量素子Ｃ１２の合計の静電容量を近づけることができる。この際、第２給電母線９４として平板形状の電線を用いることにより、第２浮遊容量Ｃ０２を調整できる。以下、詳細に説明する。
【００３９】
第２給電母線９４と筐体１との間の静電容量（第２浮遊容量Ｃ０２）は、以下の（１）式で示すことができる。
（静電容量）＝ε0・εr・（Ｓ／ｄ）        …（１）
但し、ε0は真空の誘電率、εrは比誘電率、Ｓは対向面積、ｄは距離である。
【００４０】
従って、対向面積Ｓを変化させることにより、第２給電母線９４と筐体１との間の第２浮遊容量Ｃ０２を変化させることができる。第６実施形態では、第１容量素子Ｃ１１、第２容量素子Ｃ１２に加えて、第２給電母線９４と筐体１との対向面積Ｓを調整することにより、インダクタンス素子Ｌ１と筐体１との間の静電容量と、第２給電母線９４と筐体１との間の静電容量を設定するので、静電容量の調整を容易に行うことができる。従って、インダクタンス素子Ｌ１と筐体１との間に加わる電圧と、第２給電母線９４と筐体１との間に加わる電圧を近づけることができ、筐体１へ伝搬するノイズを低減することができる。
【００４１】
［第７実施形態の説明］
次に、本発明の第７実施形態について説明する。図１２は、第７実施形態に係る電力変換装置の、インダクタンス素子Ｌ１、及び第２給電母線９４の断面を示す説明図である。図１２に示すように、第７実施形態では、図９にて示した第５実施形態と同様に、インダクタンス素子Ｌ１と筐体１との間に、第１容量素子Ｃ１１を設けている。また、第２給電母線９４と筐体１との間に、第２容量素子Ｃ１２を設けている。更に、インダクタンス素子Ｌ１と筐体１との間の第１浮遊容量Ｃ０１、第２給電母線９４と筐体１との間の第２浮遊容量Ｃ０２が存在している。第２給電母線９４の近傍の筐体１が板厚部７とされている点で、第５実施形態と相違している。
【００４２】
第７実施形態に係る電力変換装置では、第１容量素子Ｃ１１及び第２容量素子Ｃ１２の静電容量を適宜設定することにより、第１浮遊容量Ｃ０１と第１容量素子Ｃ１１の合計の静電容量を、第２浮遊容量Ｃ０２と第２容量素子Ｃ１２の合計の静電容量に近づけることができる。この際、板厚部７の厚さを変更することにより、第２浮遊容量Ｃ０２を調整できる。
【００４３】
即ち、前述した（１）式に示したように、距離ｄを変化させることにより、第２給電母線９４と筐体１との間の第２浮遊容量Ｃ０２を変化させることができる。第７実施形態では、第１容量素子Ｃ１１、第２容量素子Ｃ１２に加えて、板厚部７の厚さを調整することにより、インダクタンス素子Ｌ１と筐体１との間の静電容量と、第２給電母線９４と筐体１との間の静電容量を一致させるので、静電容量の調整を容易に行うことが可能となる。なお、図１２では、筐体１の板厚を変化させる例について説明したが、筐体１の内面に導電性の板材を配置して距離ｄを変化させることも可能である。
【００４４】
従って、インダクタンス素子Ｌ１と筐体１との間に加わる電圧と、第２給電母線９４と筐体１との間に加わる電圧を近づけることができ、筐体１へ伝搬するノイズを低減することができる。
【００４５】
［第７実施形態の変形例の説明］
次に、本発明の第７実施形態の変形例について説明する。図１３は、第７実施形態の変形例に係る電力変換装置の、インダクタンス素子Ｌ１、及び第２給電母線９４の断面を示す説明図である。図１３に示すように、変形例では、筐体１の内面の第２給電母線９４に接近した部位に、金属製の板材６を設けている。従って、前述した第７実施形態と同様に、第２給電母線９４と板材６との距離を変化させることにより、第２浮遊容量Ｃ０２を調整でき、インダクタンス素子Ｌ１と筐体１との合計の静電容量と、第２給電母線９４と筐体１との合計の静電容量を簡単な操作で近づけることが可能となる。
【００４６】
［第８実施形態の説明］
次に、本発明の第８実施形態について説明する。図１４は、第８実施形態に係る電力変換装置の、インダクタンス素子Ｌ１、及び第２給電母線９４の断面を示す説明図である。図１４に示すように、第８実施形態では、図９にて示した第５実施形態と同様に、インダクタンス素子Ｌ１と筐体１との間に、第１容量素子Ｃ１１を設けている。また、第２給電母線９４と筐体１との間に、第２容量素子Ｃ１２を設けている。
【００４７】
第２給電母線９４と筐体１との間に第２誘電体８を設けている点で第５実施形態と相違する。インダクタンス素子Ｌ１と筐体１との間には第１浮遊容量Ｃ０１が存在し、第２給電母線９４と筐体１との間には第２浮遊容量Ｃ０２が存在している。第２浮遊容量Ｃ０２は、第２誘電体８の誘電率により変化する。
【００４８】
第８実施形態に係る電力変換装置では、第１容量素子Ｃ１１及び第２容量素子Ｃ１２の静電容量を適宜設定することにより、第１浮遊容量Ｃ０１と第１容量素子Ｃ１１の合計の静電容量と、第２浮遊容量Ｃ０２と第２容量素子Ｃ１２の合計の静電容量を近づけることができる。この際、第２誘電体８の誘電率を変更することにより、第２浮遊容量Ｃ０２を調整できる。
【００４９】
即ち、前述した（１）式に示したように、比誘電率εｒを変化させることにより、第２給電母線９４と筐体１との間の第２浮遊容量Ｃ０２を変化させることができる。第８実施形態では、第１容量素子Ｃ１１、第２容量素子Ｃ１２に加えて、第２誘電体８の比誘電率εｒを調整することにより、インダクタンス素子Ｌ１と筐体１との間の静電容量と、第２給電母線９４と筐体１との間の静電容量を一致させるので、静電容量の調整を容易に行うことが可能となる。
【００５０】
［第９実施形態の説明］
次に、本発明の第９実施形態について説明する。図１５は、第９実施形態に係る電力変換装置の、インダクタンス素子Ｌ１、及び第２給電母線９４の断面を示す説明図である。図１５に示すように、第９実施形態では、図９にて示した第５実施形態と同様に、インダクタンス素子Ｌ１と筐体１との間に、第１容量素子Ｃ１１を設けている。また、第２給電母線９４と筐体１との間に、第２容量素子Ｃ１２を設けている。
【００５１】
インダクタンス素子Ｌ１と筐体１との間に第１誘電体９を設け、且つ、第２給電母線９４と筐体１との間に第２誘電体８を設けている点で第５実施形態と相違する。インダクタンス素子Ｌ１と筐体１との間には第１浮遊容量Ｃ０１が存在し、第２給電母線９４と筐体１との間には第２浮遊容量Ｃ０２が存在している。第１浮遊容量Ｃ０１は、第１誘電体９の誘電率により変化し、第２浮遊容量Ｃ０２は、第２誘電体８の誘電率により変化する。
【００５２】
第９実施形態に係る電力変換装置では、第１容量素子Ｃ１１及び第２容量素子Ｃ１２の静電容量を適宜設定することにより、第１浮遊容量Ｃ０１と第１容量素子Ｃ１１の合計の静電容量と、第２浮遊容量Ｃ０２と第２容量素子Ｃ１２の合計の静電容量を近づける。この際、第１誘電体９及び第２誘電体８の誘電率を変更することにより、第１浮遊容量Ｃ０１、第２浮遊容量Ｃ０２を調整できる。
【００５３】
即ち、前述した（１）式に示した比誘電率εｒを変化させることにより、第１浮遊容量Ｃ０１、及び第２浮遊容量Ｃ０２を変化させることができる。第９実施形態では、第１容量素子Ｃ１１、第２容量素子Ｃ１２に加えて、第１誘電体９及び第２誘電体８の比誘電率εｒを調整することにより、インダクタンス素子Ｌ１と筐体１との間の静電容量と、第２給電母線９４と筐体１との間の静電容量を一致させるので、静電容量の調整を容易に行うことが可能となる。
【００５４】
［第１０実施形態の説明］
次に、本発明の第１０実施形態について説明する。図１６は、第１０実施形態に係る電力変換装置の、インダクタンス素子Ｌ１、及び第２給電母線９４の断面を示す説明図である。図１６に示すように、第１０実施形態では、インダクタンス素子Ｌ１と筐体１との間に、第１容量素子Ｃ１１、及び第１抵抗素子Ｒ１１の直列接続回路を設けている。また、第２給電母線９４と筐体１との間に、第２容量素子Ｃ１２を設けている。
【００５５】
インダクタンス素子Ｌ１と筐体１との間には第１浮遊容量Ｃ０１が存在し、第２給電母線９４と筐体１との間には第２浮遊容量Ｃ０２が存在している。
【００５６】
第１０実施形態に係る電力変換装置では、第１抵抗素子Ｒ１１の抵抗値、第１容量素子Ｃ１１の静電容量、及び第２容量素子Ｃ１２の静電容量を適宜設定することにより、第１浮遊容量Ｃ０１と、Ｃ１１とＲ１１との直列接続回路との合成インピーダンス（以下、第１インピーダンスという）を、第２浮遊容量Ｃ０２と第２容量素子Ｃ１２の静電容量との合成インピーダンス（以下、第２インピーダンスという）に近づける。
【００５７】
また、インダクタンス素子Ｌ１と筐体１との間には、第１容量素子Ｃ１１、第１浮遊容量Ｃ０１、及びインダクタンス素子Ｌ１が存在することにより共振周波数（これを、第１共振周波数とする）が存在する。従って、第１抵抗素子Ｒ１１を設けない場合には、第１共振周波数にて第１インピーダンスが低下し、第１インピーダンスと第２インピーダンスの差が拡大し、ノイズ発生の原因となってしまう。本実施形態では、第１抵抗素子Ｒ１１を設けることにより、第１インピーダンスが低下することを防止する。以下、詳細に説明する。
【００５８】
図１７は、周波数とインピーダンスとの関係を示すグラフである。図１７に示す曲線Ｚ２（実線）は、第２給電母線９４と筐体１との間の第２インピーダンスＺ２の変化を示している。
【００５９】
曲線Ｚ０（一点鎖線）は、図１６において、第１抵抗素子Ｒ１１を設けない場合、即ち、インダクタンス素子Ｌ１と筐体１が第１容量素子Ｃ１１により接続されている場合の、第１インピーダンスの変化を示している。曲線Ｚ０に示すように、インダクタンス素子Ｌ１と筐体１との間には第１共振周波数ｆ０が存在し、この第１共振周波数ｆ０では、インピーダンスが著しく低下している。
【００６０】
上記の第１共振周波数ｆ０は、次の（２）式で示すことができる。
【数１】
0006669253.tif 000002
そして、本実施形態では、第１抵抗素子Ｒ１１を設けることにより、第１共振周波数ｆ０における第１インピーダンスの低下を抑制する。
【００６１】
詳細には、第１抵抗素子Ｒ１１の抵抗値を、周波数がｆ０のときのインピーダンスＺ０（ｆ０）よりも大きく、第２インピーダンスＺ２（ｆ０）よりも小さい数値に設定する。即ち、以下の（３）式に示す範囲とする。
Ｚ０（ｆ０）≦Ｒ１１≦Ｚ２（ｆ０）      …（３）
但し、Ｚ０は、インダクタンス素子Ｌ１と第１容量素子Ｃ１１と第１浮遊容量Ｃ０１によるインピーダンス、Ｚ２は、第２給電母線９４と第２容量素子Ｃ１２と第２浮遊容量Ｃ０２によるインピーダンスである。なお、以下では、素子を示す符号とその素子の数値を示す符号を同一の符号で示す。例えば、抵抗素子Ｒ１１の抵抗値を同一の符号Ｒ１１で示す。
【００６２】
その結果、第１共振周波数ｆ０における第１インピーダンスを、インピーダンスＺ０の最下点よりも高くすることができる。また、抵抗値Ｒ１１をＺ２（ｆ０）に近づけることにより、周波数に対する第１インピーダンスの変化は、図１７の曲線Ｚ１（点線）に示すようになり、曲線Ｚ２に近づけることができる。
【００６３】
即ち、第１抵抗素子Ｒ１１の抵抗値を、第１共振周波数ｆ０での第２給電母線９４と筐体１との間のインピーダンス以下で、且つ、第１抵抗素子Ｒ１１を含まない場合のインダクタンス素子Ｌ１と筐体１との間のインピーダンスよりも大きく設定している。好ましくは、第１抵抗素子Ｒ１１の抵抗値を、第１共振周波数ｆ０での第２給電母線９４と筐体１との間のインピーダンスと一致するように設定している。
【００６４】
このため、第１共振周波数ｆ０において、第１インピーダンスが急激に低下することを防止でき、周波数の変化に影響されることなく筐体１へのノイズの伝搬を低減することが可能となる。
【００６５】
図１８は、第１共振周波数ｆ０における筐体１に伝搬するノイズ抑制効果を示すグラフである。横軸は、第１抵抗素子Ｒ１１の大きさ、縦軸はノイズレベルを示している。そして、図１８から理解されるように、抵抗値Ｒ１１をＺ０（ｆ０）〜Ｚ２（ｆ０）の範囲とすることにより（即ち、上記（３）式の範囲とすることにより）、ノイズレベルを低減でき、Ｒ１１がＺ２（ｆ０）に近づくほど、ノイズの抑制効果が高まる。
【００６６】
このようにして、第１０実施形態では、インダクタンス素子Ｌ１と筐体１との間に、第１容量素子Ｃ１１、及び第１抵抗素子Ｒ１１の直列接続回路を設けている。従って、インダクタンス素子Ｌ１と第１容量素子Ｃ１１との間に第１共振周波数ｆ０が存在する場合でも、第１抵抗素子Ｒ１１の抵抗値を上記の（３）式の範囲に設定することにより、第１共振周波数にて第１インピーダンスが低下することを防止できる。その結果、インダクタンス素子Ｌ１と筐体１との間に加わる電圧と、第２給電母線９４と筐体１との間に加わる電圧を近づけることができ、筐体１へ伝搬するノイズを低減することができる。
【００６７】
特に、抵抗値Ｒ１１を、第１共振周波数ｆ０での第２給電母線９４と筐体１との間のインピーダンスＺ２（ｆ０）と一致させることにより、一層効果的にノイズを低減することができる。
【００６８】
［第１０実施形態の第１変形例の説明］
次に、第１０実施形態の第１変形例について説明する。図１９は、第１０実施形態の第１変形例に係る電力変換装置の、インダクタンス素子Ｌ１、及び第２給電母線９４の断面を示す説明図である。
【００６９】
図１９に示すように、インダクタンス素子Ｌ１は、例えば、鉄、アルミニウム等の金属製のフレーム４の内部に収容されている。フレーム４は、ワイヤ５により筐体１に接続されている。インダクタンス素子Ｌ１とフレーム４との間には、第１抵抗素子Ｒ１１と第１容量素子Ｃ１１の直列接続回路が設けられている。
【００７０】
このような構成によれば、フレーム４の内部にインダクタンス素子Ｌ１を収容することにより、インダクタンス素子Ｌ１より直接放射されるノイズを抑制することができる。また、フレーム４の内部に、第１抵抗素子Ｒ１１及び第１容量素子Ｃ１１を設けることにより、インダクタンス素子Ｌ１とフレーム４との間のインピーダンスを高くすることができ、ひいては、インダクタンス素子Ｌ１と筐体１との間のインピーダンスを、第２給電母線９４と筐体１との間の静電容量（第２容量素子Ｃ１２と第２浮遊容量Ｃ０２を合計した静電容量）に近づけることができる。
【００７１】
また、前述した第１０実施形態と同様に、第１抵抗素子Ｒ１１の抵抗値を適宜設定することにより、第１共振周波数ｆ０において第１インピーダンスが低下することを防止でき、インダクタンス素子Ｌ１から筐体１へ伝搬するノイズを抑制することができる。
【００７２】
［第１０実施形態の第２変形例の説明］
次に、第１０実施形態の第２変形例について説明する。図２０は、第１０実施形態の第２変形例に係る電力変換装置の、インダクタンス素子Ｌ１、及び第２給電母線９４の断面を示す説明図である。
【００７３】
図２０に示すように、インダクタンス素子Ｌ１は、例えば、鉄、アルミニウム等の金属製のフレーム４の内部に収容されている。インダクタンス素子Ｌ１とフレーム４との間には、第１抵抗素子Ｒ１１と第１容量素子Ｃ１１の直列接続回路が設けられている。更に、フレーム４と筐体１は絶縁されている。フレーム４と筐体１との間には、第１浮遊容量Ｃ０１が存在している。
【００７４】
第２変形例においても、前述した第１変形例と同様に、フレーム４の内部にインダクタンス素子Ｌ１を収容することにより、インダクタンス素子Ｌ１より直接放射されるノイズを抑制することができる。また、フレーム４の内部に、第１抵抗素子Ｒ１１及び第１容量素子Ｃ１１を設けることにより、インダクタンス素子Ｌ１とフレーム４との間のインピーダンスを高めることができる。その結果、インダクタンス素子Ｌ１と筐体１との間のインピーダンスを、第２給電母線９４と筐体１との間の静電容量（第２容量素子Ｃ１２と第２浮遊容量Ｃ０２を合計した静電容量）に近づけることができる。
【００７５】
また、前述した第１０実施形態と同様に、第１抵抗素子Ｒ１１の抵抗値を適宜設定することにより、第１共振周波数ｆ０において第１インピーダンスが低下することを防止でき、インダクタンス素子Ｌ１から筐体１へ伝搬するノイズを抑制することができる。
【００７６】
［第１１実施形態の説明］
次に、本発明の第１１実施形態について説明する。図２１は、第１１実施形態に係る電力変換装置の、インダクタンス素子Ｌ１、及び第２給電母線９４の断面を示す説明図である。図２１に示すように、第１１実施形態では、インダクタンス素子Ｌ１と筐体１との間に、第１容量素子Ｃ１１と第１抵抗素子Ｒ１１の直列接続回路を設けている。また、第２給電母線９４と筐体１との間に、第２抵抗素子Ｒ１２と第２容量素子Ｃ１２の直列接続回路を設けている。
【００７７】
そして、第１１実施形態に係る電力変換装置では、第１抵抗素子Ｒ１１の抵抗値、第１容量素子Ｃ１１の静電容量、及び、第２抵抗素子Ｒ１２の抵抗値、第２容量素子Ｃ１２の静電容量を適宜設定することにより、インダクタンス素子Ｌ１と筐体１との間の第１インピーダンスと、第２給電母線９４と筐体１との間の第２インピーダンスを近づける。
【００７８】
以下、第１抵抗素子Ｒ１１及び第２抵抗素子Ｒ１２の抵抗値の設定方法について説明する。図２２は、周波数とインピーダンスとの関係を示すグラフである。図２２に示す曲線Ｚ１１（ｆ）は、第１抵抗素子Ｒ１１を設けない場合のインダクタンス素子Ｌ１と筐体１との間のインピーダンス（第１インピーダンス）を示し、曲線Ｚ２１（ｆ）は、第２抵抗素子Ｒ１２を備えない場合の第２給電母線９４と筐体１との間のインピーダンス（第２インピーダンス）を示している。
【００７９】
また、曲線Ｚ１０（ｆ）は、インダクタンス素子Ｌ１のインピーダンスを示し、曲線Ｚ２０（ｆ）は、第２給電母線９４のインピーダンスを示している。曲線Ｚ１０（ｆ）は、インダクタンスのみであるから、周波数の増加に対してインピーダンスは増加している。また、曲線Ｚ２０（ｆ）は、浮遊容量が存在することにより、周波数の増加に対してインピーダンスは減少している。
【００８０】
一方、インピーダンスＺ１１（ｆ）、及びインピーダンスＺ２１（ｆ）は、それぞれ共振周波数を有する。双方の共振周波数は一致することが望ましいが、多くの場合は異なる周波数となる。ここで、インピーダンスＺ１１（ｆ）の共振周波数を第１共振周波数ｆ１とし、インピーダンスＺ２１（ｆ）の共振周波数を第２共振周波数ｆ２とする。
【００８１】
従って、図２２に示すように、Ｚ１１（ｆ）、Ｚ２１（ｆ）は、それぞれ第１共振周波数ｆ１、第２共振周波数ｆ２でインピーダンスが急激に低下する特性を有する。本実施形態では、各共振周波数ｆ１、ｆ２において、第１インピーダンス及び第２インピーダンスの低下を抑制するように第１抵抗素子Ｒ１１、及び第２抵抗素子Ｒ１２の抵抗値を設定する。
【００８２】
次の（４）、（５）式に示すように抵抗値Ｒ１１の範囲、及び抵抗値Ｒ１２の範囲を設定する。
Ｚ１１（ｆ１）≦Ｒ１１≦Ｚ２１（ｆ１）    …（４）
Ｚ２１（ｆ２）≦Ｒ１２≦Ｚ１１（ｆ２）    …（５）
具体的には、抵抗値Ｒ１１の範囲を図２２に示す符号ｑ１の範囲とし、抵抗値Ｒ１２の範囲を符号ｑ２の範囲とする。
【００８３】
そして、第１抵抗素子Ｒ１１の抵抗値を上記（４）式の範囲に設定することにより、図２２に示した曲線Ｚ１１（ｆ）の、第１共振周波数ｆ１でのインピーダンスの低下を抑制することができる。同様に、第２抵抗素子Ｒ１２の抵抗値を上記（５）式の範囲に設定することにより、曲線Ｚ２１（ｆ）の、第２共振周波数ｆ２でのインピーダンスの低下を抑制することができる。
【００８４】
即ち、第２給電母線９４と、第２容量素子Ｃ１２の静電容量とによる共振周波数を第２共振周波数ｆ２としたとき、第２抵抗素子Ｒ１２の抵抗値は、第２共振周波数ｆ２での、第２抵抗素子Ｒ１２を含まない場合の、第２給電母線９４と筐体１との間のインピーダンスＺ２１（ｆ２）よりも大きく、インダクタンス素子Ｌ１と筐体１との間のインピーダンスＺ１１（ｆ２）よりも小さくしている。
【００８５】
従って、抵抗素子Ｒ１１、Ｒ１２を設けることにより、第１共振周波数ｆ１及び第２共振周波数ｆ２にて、第１インピーダンス及び第２インピーダンスの低減を抑制し、ノイズの発生を防止することができる。
【００８６】
図２７は、抵抗値とノイズレベルの関係を示す特性図であり、横軸を抵抗値、縦軸をノイズレベルとして示している。そして、上記（４）、（５）式のように抵抗値Ｒ１１、Ｒ１２を設定することにより、符号Ｘ１に示す範囲の抵抗値となるので、ノイズレベルを低減することが可能となる。
【００８７】
このように、第１１実施形態では、インダクタンス素子Ｌ１と筐体１との間に、第１容量素子Ｃ１１と第１抵抗素子Ｒ１１の直列接続回路を設け、第２給電母線９４と筐体１との間に、第２容量素子Ｃ１２と第２抵抗素子Ｒ１２の直列接続回路を設けている。従って、第１共振周波数ｆ１及び第２共振周波数ｆ２において、第１インピーダンス、第２インピーダンスが低下することを抑制することができ、筐体１へ伝搬するノイズを低減することができる。
【００８８】
また、上記（４）、（５）式のように抵抗値Ｒ１１、Ｒ１２を設定することにより、第１共振周波数ｆ１及び第２共振周波数ｆ２でのインピーダンスの低下を抑制でき、筐体１へ伝搬するノイズを低減することができる。
【００８９】
［第１１実施形態の第１変形例の説明］
次に、第１１実施形態の第１変形例について説明する。第１変形例では、上述した各抵抗素子Ｒ１１、Ｒ１２の各抵抗値を、以下の（６）式に示す数値に設定する。
Ｒ１１、Ｒ１２≒｛Ｚ２１（ｆ１）＋Ｚ１１（ｆ２）｝／２    …（６）
【００９０】
以下、図２３に示すグラフを参照して説明する。図２３は、理解を促進するために、図２２に示した第１共振周波数ｆ１と第２共振周波数ｆ２の差を誇張して、第１インピーダンスＺ１１（ｆ）、及び第２インピーダンスＺ２１（ｆ）を示したグラフである。上記（６）式で求められるＲ１１、Ｒ１２は、符号ｑ３に示す抵抗値となる。即ち、Ｚ２１（ｆ１）とＺ１１（ｆ２）の平均値となる。
【００９１】
即ち、第１抵抗素子Ｒ１１及び第２抵抗素子Ｒ１２の各抵抗値を、第１共振周波数ｆ１における第２給電母線９４と筐体１との間のインピーダンスＺ２１（ｆ１）と、第２共振周波数ｆ２におけるインダクタンス素子Ｌ１と筐体１との間のインピーダンスＺ１１（ｆ２）と、の平均値としている。
【００９２】
従って、第１抵抗素子Ｒ１１及び第２抵抗素子Ｒ１２の抵抗値を（６）式のように設定することにより、曲線Ｚ１１（ｆ）の、第１共振周波数ｆ１でのインピーダンスの低下を抑制することができる。同様に、曲線Ｚ２１（ｆ）の、第２共振周波数ｆ２でのインピーダンスの低下を抑制することができる。
【００９３】
そして、上記（６）式のように抵抗値Ｒ１１、Ｒ１２を設定することにより、図２７に示す符号Ｘ２の抵抗値とすることができ、ノイズレベル低減効果を最大とすることができる。従って、第１共振周波数ｆ１、及び第２共振周波数ｆ２において、第１インピーダンス、第２インピーダンスが低下することを抑制することができ、筐体１へ伝搬するノイズを低減することができる。
【００９４】
［第１１実施形態の第２変形例の説明］
次に、第１１実施形態の第２変形例について説明する。第２変形例では、第１抵抗素子Ｒ１１、及び第２抵抗素子Ｒ１２の各抵抗値を、以下の（７ａ）、（７ｂ）式の範囲となるように設定する。
Ｚ２１（ｆ１）≦Ｒ１１≦Ｚ１１（ｆ２）        …（７ａ）
Ｚ２１（ｆ１）≦Ｒ１２≦Ｚ１１（ｆ２）        …（７ｂ）
【００９５】
以下、図２４に示すグラフを参照して説明する。図２４は、図２２に示した第１共振周波数ｆ１と第２共振周波数ｆ２の差を誇張して、第１インピーダンスＺ１１（ｆ）、及び第２インピーダンスＺ２１（ｆ）を示したグラフである。上記（７ａ）、（７ｂ）式で設定されるＲ１、Ｒ２は、図２４の符号ｑ４に示す範囲である。
【００９６】
即ち、第１抵抗素子Ｒ１１及び第２抵抗素子Ｒ１２の抵抗値を、第１抵抗素子Ｒ１１を有しないときの、第２共振周波数ｆ２におけるインダクタンス素子Ｌ１と筐体１との間のインピーダンスＺ１１（ｆ２）と、第２抵抗素子Ｒ１２を有しないときの、第１共振周波数ｆ１における第２給電母線９４と筐体１との間のインピーダンスＺ２１（ｆ１）と、の間の抵抗値としている。
【００９７】
上記（７ａ）、（７ｂ）式のように抵抗値Ｒ１１、Ｒ１２を設定することにより、各抵抗値Ｒ１１、Ｒ１２は、図２７の符号Ｘ３に示す範囲となり、ノイズレベルを低減することが可能となる。その結果、インダクタンス素子Ｌ１と筐体１との間に生じる電圧と、第２給電母線９４と筐体１との間に生じる電圧を近づけることができ、筐体１へ伝搬するノイズを低減することができる。
【００９８】
［第１１実施形態の第３変形例の説明］
次に、第１１実施形態の第３変形例について説明する。第３変形例では、第１抵抗素子Ｒ１１、及び第２抵抗素子Ｒ１２の各抵抗値（これを「Ｒｒ」とする）が、以下に示す（８）式に示す数値となるように設定する。
【００９９】
Ｒｒ＝Ｒ１１、Ｒ１２＝｛Ｚ１０（ｆ12）＋Ｚ２０（ｆ12）｝／２      …（８）
但し、ｆ12は図２５に示すように、曲線Ｚ１１（ｆ）と曲線Ｚ２１（ｆ）との交点の周波数である。即ち、周波数ｆ12は、第１共振周波数ｆ１と第２共振周波数ｆ２の間の中間周波数である。
【０１００】
以下、図２５に示すグラフを参照して説明する。図２５は、図２２に示した第１共振周波数ｆ１と第２共振周波数ｆ２の差を誇張して、第１インピーダンスＺ１１（ｆ）、及び第２インピーダンスＺ２１（ｆ）を示したグラフである。また、図２６は、図２５に示す「Ａ」部の拡大図である。上記（８）式で設定される各抵抗値Ｒ１１、Ｒ１２は、図２６の符号ｑ５に示す数値である。
【０１０１】
即ち、第１共振周波数ｆ１と第２共振周波数ｆ２の間となる中間周波数ｆ12を設定し、第１抵抗素子Ｒ１１及び第２抵抗素子Ｒ１２の抵抗値を、中間周波数ｆ12での、第１インピーダンス素子を設けないときのインダクタンス素子Ｌ１と筐体１との間のインピーダンスＺ１０（ｆ12）と、第２インピーダンス素子を設けないときの第２給電母線９４と筐体１との間のインピーダンスＺ２０（ｆ12）と、の間の抵抗値としている。
【０１０２】
このように、第１抵抗素子Ｒ１１及び第２抵抗素子Ｒ１２の各抵抗値は、周波数ｆ12におけるＺ１０（ｆ12）とＺ２０（ｆ12）の中間値に設定される。従って、抵抗値Ｒ１１、Ｒ１２（＝Ｒｒ）は、図２７のＸ４となり、ノイズレベルを低減効果を最大することができる。
【０１０３】
従って、インダクタンス素子Ｌ１と筐体１との間に生じる電圧と、第２給電母線９４と筐体１との間に生じる電圧を近づけることができ、筐体１へ伝搬するノイズを低減することができる。
【０１０４】
［その他の実施形態］
上述した各実施形態では、図１に示したように、スイッチング素子Ｑ１とダイオードＤ１からなるパワーモジュール３を用いて電力を変換する例について説明した。本発明はこれに限定されず、例えば、図２８に示すように、平滑コンデンサＣ１００の前段に、ダイオードブリッジ回路からなる整流回路３１を設けても良い。電源９１より供給される電力が交流である場合に、この交流を整流してパワーモジュール３に供給することが可能となる。
【０１０５】
更に、図２９に示すように、インダクタンス素子Ｌ１の後段に、４個のスイッチング素子からなるパワーモジュール３ａ、該パワーモジュール３ａを制御する制御回路３４、トランス３５、及び４個のダイオードからなる整流回路３３を備えた電力変換装置としてもよい。このような構成においても、インダクタンス素子Ｌ１と筐体１との間に第１インピーダンス素子を設けることにより、ノイズを低減できる。
【０１０６】
以上、本発明の電力変換装置を図示の実施形態に基づいて説明したが、本発明はこれに限定されるものではなく、各部の構成は、同様の機能を有する任意の構成のものに置き換えることができる。
【符号の説明】
【０１０７】
１  筐体
２、３４  制御回路
３、３ａ  パワーモジュール
４  フレーム
５  ワイヤ
６  板材
７  板厚部
８  第２誘電体
９  第１誘電体
１１  第１インピーダンス素子
１２  第２インピーダンス素子
３１、３３  整流回路
３５  トランス
９１  電源
９２  負荷
９３  第１給電母線
９４  第２給電母線
９５、９６  出力線
１０１  電力変換装置
Ｌ１  インダクタンス素子
Ｌ１ａ  プレーナ型のインダクタンス素子
Ｃ０１  第１浮遊容量
Ｃ０２  第２浮遊容量
Ｃ１１  第１容量素子
Ｃ１２  第２容量素子
Ｃ１００、Ｃ２００  平滑コンデンサ
Ｄ１  ダイオード
ｆ０  第１共振周波数
ｆ１  第１共振周波数
ｆ12  中間周波数
ｆ２  第２共振周波数
Ｌ１  インダクタンス素子
Ｌ１ａ  プレーナ型のインダクタンス素子
Ｑ１  スイッチング素子
Ｒ１１  第１抵抗素子
Ｒ１２  第２抵抗素子
【図１】
0006669253.tif 000003
【図２】
0006669253.tif 000004
【図３】
0006669253.tif 000005
【図４】
0006669253.tif 000006
【図５】
0006669253.tif 000007
【図６】
0006669253.tif 000008
【図７】
0006669253.tif 000009
【図８】
0006669253.tif 000010
【図９】
0006669253.tif 000011
【図１０】
0006669253.tif 000012
【図１１】
0006669253.tif 000013
【図１２】
0006669253.tif 000014
【図１３】
0006669253.tif 000015
【図１４】
0006669253.tif 000016
【図１５】
0006669253.tif 000017
【図１６】
0006669253.tif 000018
【図１７】
0006669253.tif 000019
【図１８】
0006669253.tif 000020
【図１９】
0006669253.tif 000021
【図２０】
0006669253.tif 000022
【図２１】
0006669253.tif 000023
【図２２】
0006669253.tif 000024
【図２３】
0006669253.tif 000025
【図２４】
0006669253.tif 000026
【図２５】
0006669253.tif 000027
【図２６】
0006669253.tif 000028
【図２７】
0006669253.tif 000029
【図２８】
0006669253.tif 000030
【図２９】
0006669253.tif 000031